(57)【要約】【課題】  受け部が形成された支持部を固定部に安定して固定できかつ容易に装着が可能な支持具を提供する。【解決手段】  軸がほぼ水平の姿勢に保持された柱状の固定部１と、軸と直角なほぼ水平方向の一方から固定部１に着脱自在に取り付けられる支持部６とを備え、固定部１の上面には上方が開放された溝２が軸方向に沿って形成され、溝２は、底面２ａとこの底面２ａから上方へ向かって支持部６取付側に傾斜する傾斜側面２ｂとこの傾斜側面２ｂより支持部６取付側に位置する他方側面２ｃとで形成され、支持部６は、傾斜側面２ｂと当接可能な第１の接面７ａを有する溝挿入部７と、この溝挿入部７と連なって一体に形成され、他方側面７ｃと連なり外周面３と当接可能な第２の接面８を有する外周部８０とからなり、受け部９は、支持部６の外周部８０に固着され荷重を支持している。【選択図】        図１
2006006516.tif 000002
【特許請求の範囲】
【請求項１】
軸がほぼ水平の姿勢に保持された柱状の固定部と、上記軸と直角なほぼ水平方向の一方から上記固定部に着脱自在に取り付けられる支持部と、この支持部に固着され荷重を支持する受け部とを備えた支持具であって、
上記固定部の上面には上方が開放された溝が上記軸方向に沿って形成され、上記溝は、底面とこの底面から上方へ向かって上記支持部取付側に傾斜する傾斜側面とこの傾斜側面より上記支持部取付側に位置する他方側面とで形成され、
上記支持部は、上記溝の傾斜側面と当接可能な第１の接面を有する溝挿入部と、この溝挿入部と連なって一体に形成され、上記溝の他方側面と連なり上記固定部の周方向所定長に亘る外周面と当接可能な第２の接面を有する外周部とからなり、
上記受け部は、上記支持部の外周部に固着されていることを特徴とする支持具。
【請求項２】
上記溝の傾斜側面と水平線とのなす傾斜角を約１１０度に設定したことを特徴とする請求項１に記載の支持具。
【請求項３】
上記固定部の外周面は、上記溝の他方側面と連なる水平面および上記水平面に連なる垂直面を有し、上記支持部の第２の接面は、上記水平面に当接可能な第３の接面および上記垂直面に当接可能な第４の接面を有することを特徴とする請求項１または請求項２に記載の支持具。
【請求項４】
上記受け部は上記固定部の軸と直角なほぼ水平方向に延在する棒状部材にて成ることを特徴とする請求項１ないし請求項３のいずれかに記載の支持具。
【発明の詳細な説明】
【技術分野】
【０００１】
本発明は、例えばハンガーなど商品を支持することができる支持具に関し、特に設置場所を容易に変更することができかつ安定的に固定することができるものである。
【背景技術】
【０００２】
従来の支持具は、水平に取り付けられた横棒に装着部を上から挟み込むようにして嵌着し、装着部に固着されたフック棒に商品を掛けるものである（例えば、特許文献１参）。
【０００３】
【特許文献１】特開２０００−１９７５４２号公報
【発明の開示】
【発明が解決しようとする課題】
【０００４】
従来の設置場所を容易に変更できる支持具は、上部から挟み込むように設置しているため、フック棒にかかる上下の力により容易に外れたりする可能性があるという問題点があった。
【０００５】
この発明は上記のような問題点を解決するためになされたもので、設置場所を容易に変更できかつ安定して固定しかつ容易に装着が可能な支持具を得るものである。
【課題を解決するための手段】
【０００６】
本発明は、軸がほぼ水平の姿勢に保持された柱状の固定部と、軸と直角なほぼ水平方向の一方から固定部に着脱自在に取り付けられる支持部と、この支持部に固着され荷重を支持する受け部とを備えた支持具であって、
固定部の上面には上方が開放された溝が軸方向に沿って形成され、溝は、底面とこの底面から上方へ向かって支持部取付側に傾斜する傾斜側面とこの傾斜側面より支持部取付側に位置する他方側面とで形成され、
支持部は、溝の傾斜側面と当接可能な第１の接面を有する溝挿入部と、この溝挿入部と連なって一体に形成され、溝の他方側面と連なり固定部の周方向所定長に亘る外周面と当接可能な第２の接面を有する外周部とからなり、
受け部は、支持部の外周部に固着されているものである。
【発明の効果】
【０００７】
本発明の支持具は、軸がほぼ水平の姿勢に保持された柱状の固定部と、軸と直角なほぼ水平方向の一方から固定部に着脱自在に取り付けられる支持部と、この支持部に固着され荷重を支持する受け部とを備えた支持具であって、
固定部の上面には上方が開放された溝が軸方向に沿って形成され、溝は、底面とこの底面から上方へ向かって支持部取付側に傾斜する傾斜側面とこの傾斜側面より支持部取付側に位置する他方側面とで形成され、
支持部は、溝の傾斜側面と当接可能な第１の接面を有する溝挿入部と、この溝挿入部と連なって一体に形成され、溝の他方側面と連なり固定部の周方向所定長に亘る外周面と当接可能な第２の接面を有する外周部とからなり、
受け部は、支持部の外周部に固着されているので、
溝の傾斜側面と第１の接面とが当接し、かつ、外周面と第２の接面とが当接しているので、受け部が形成された支持部が固定部に安定して固定されかつ容易に装着が可能となる。
【発明を実施するための最良の形態】
【０００８】
実施の形態１．
図１は、本発明の実施の形態１の支持具の固定部および支持部の構成を示す側面図、図２は図１に示した固定部と支持部とを組み合わせた状態の支持具の構成を示す側面図および平面図、図３は図２に示した支持具の設置方法を説明するための断面図、図４は図２に示した支持具の利用方法を説明するための斜視図、図５は図２に示した支持具にかかる力の作用を説明するための図、図６および図７は他の支持具の固定部および支持部の構成を示す側面図、図８は図１、図６、図７に示した支持部の他の構成を示す斜視図である。
【０００９】
支持具は金属にて形成されており例えばアルミ押し出し型材にて形成されている。そして、図１（ａ）に示す固定部１と、図１（ｂ）に示す支持部６および支持部６に固着されている受け部９とを備え、図２に示すように固定部１に支持部６を取り付けた状態にて使用される。固定部１は軸がほぼ水平の姿勢に保持された柱状にて成り、固定部１の上面には上方が開放された溝２が軸方向に沿って形成されている。この溝２は、底面２ａと、この底面２ａから上方へ向かって支持部６取付側（図１（ａ）では右方側）傾斜する傾斜側面２ｂと、この傾斜側面２ｂより支持部６取付側に位置し傾斜側面２ｂと平行にて成る他方側面２ｃとにて形成されている。そして、溝２の傾斜側面２ｂと水平線Ａとのなす傾斜角θは約１１０度に設定されている。また、溝２の他方側面２ｃと連なり固定部１の周方向所定長に亘る外周面３として、溝２の他方側面２ｃと連なる水平面３ａおよび水平面３ａに連なる垂直面３ｂが形成されている。
【００１０】
さらに、固定部１は軸をほぼ水平の姿勢に保持するために壁面などに設置して利用するための、垂直となる設置面５ａを有する。そして、壁面などに固定するネジを止めるためのネジ溝４ａ、４ｂを設置面５ａの上下箇所にそれぞれ備えている。また、プラスタボードが設置可能な水平となる設置面５ｂ、５ｃを溝２の支持部６取付側と異なる側の上面および下面にそれぞれ備えている。次に、支持部６は軸と直角なほぼ水平方向の一方、すなわち設置面５ａが形成されていない方向から固定部１に着脱自在に取り付けられるもので、溝２の傾斜側面２ｂと当接可能な第１の接面７ａを有する溝挿入部７と、この溝挿入部７と連なって一体に形成され、固定部１の外周面３と当接可能な第２の接面８として、水平面３ａと接する第３の接面８ａ、および、垂直面３ｂと接する第４の接面８ｂとを有する外周部８０とから成る。
【００１１】
次に、受け部９は支持部６の外周部８０に固着され、固定部１の軸と直角なほぼ水平方向に延在する棒状部材にて成る。ここでは角柱の棒状部材にて形成する例を示している。そしてこの受け部９の先端部分には、受け部９に吊り下げられた荷重物品が落下することを防止する止め部１０が上面に形成されている。
【００１２】
上記のように構成された実施の形態１の支持具の設置方法について説明する。まず、図３に示すように固定部１の設置面５ａを壁面１１に沿わせ、固定部１のネジ溝４ａ、４ｂからネジ１３ａ、１３ｂを用いて壁面１１に拘止して、固定部１の軸がほぼ水平の姿勢となるように保持する。次に、固定部１の前面の設置面５ｂ、５ｃ上にプラスタボード１２がそれぞれ接するように貼り付ける。次に、支持部６の溝挿入部７を固定部１の溝２の軸方向の所望箇所に溝２の上面の開口から挿入し（ここでは溝２の軸方向の中央部分に設置する例を示している）、受け部９が固着されている支持部６を固定部１に装着する。また、場所を移動したい場合は、溝挿入部７を溝２から抜き出し、他の位置に移動した後、再び上記に示した場合と同様に溝２に溝挿入部７を挿入すればよい。
【００１３】
このように挿入した状態で、例えば図４に示すように受け部９に荷重としてのハンガー２０を吊すようにして利用することができる。また、図５に示すように受け部９に下向きの力Ｃが働くと、支持部６の第１の接面７ａと固定部１の傾斜側面２ｂとの当接箇所に力Ｄが働き圧接され、固定部１の傾斜側面２ｂにより支持部６の第１の接面７ａが上方へ抜けるのが防止され、この当接箇所により支持部６は固定部１に拘束される。よって、支持部６は固定部１に安定的に固定できる。
【００１４】
また、上記に示した場合と同様に、受け部９に上向き力が働くと、支持部６の第１の接面７ａと固定部１の傾斜側面２ｂとの当接箇所に力Ｄが働き圧接され、固定部１の傾斜側面２ｂにより支持部６の第１の接面７ａが下方へ傾くことが防止され、また、受け部９に水平方向の左右の力が働くと、支持部６の第１の接面７ａと固定部１の傾斜側面２ｂとの当接箇所に力Ｄが働き圧接され、固定部１の傾斜側面２ｂにより支持部６の第１の接面７ａが左右に傾くことが防止され、支持部６は固定部１に安定的に固定される。支持部６を固定部１から外す場合には、傾斜側面２ｂの傾斜方向に支持部６を抜き出す必要があり、一般的に受け部９にかかると考えられる力（上下左右）においては、上記に示したように支持部６が固定部１から外れることが防止される。
【００１５】
また、上記実施の形態１では設置面５ａの上下方向のそれぞれにて壁面に設置可能なネジ溝を形成する例を示したが、例えば図６に示すように、設置面５ａの上方向にのみネジ溝４ａを備え、設置面５ａの下方向の部分を備えないものであっても、固定部を上記実施の形態１と同様に、固定部が壁面に確実に保持でき、固定部の軸がほぼ水平の姿勢を保持できる状態であれば良いことは言うまでもない。
【００１６】
また、固定部１の外周面３を水平面３ａおよび垂直面３ｂにて形成し、支持部６の第２の接面８として第３の接面８ａおよび第４の接面８ｂを備える例を示したがこれに限られることはなく、例えば図７（ａ）および（ｂ）に示すように、固定部１の他方側面２ｃと連なり固定部１の周方向所定長に亘る外周面３０を曲面にて形成し、支持部６の第２の接面８１をこの外周面３０に当接可能な曲面にて形成するか、図７（ｃ）、（ｄ）に示すように、固定部１の他方側面２ｃと連なり固定部１の周方向所定長に亘る外周面３１を曲面にて形成し、支持部６の第２の接面８２をこの外周面３１に当接可能な曲面にて形成してもよく、上記実施の形態１と同様に受け部９に係る荷重の力がそれぞれに作用するので、同様の効果を奏することができる。
【００１７】
上記のように実施の形態１の支持具は構成されているため、支持部の溝が形成されている箇所であればいずれの箇所であっても容易に支持部を装着することができる。また、受け部に上下方向および水平方向の力がかかっても、傾斜側面および第１の接面が当接し、外周面および第２の接面が当接するため、固定部に支持部を安定的に固定することができる。また、この装着に対しては、工具などを必要としないため簡便に行うことができる。また、機械的な駆動機構を有していないため、故障の原因が極めて低く、低コストにて形成することができる。
【００１８】
また、ここでは１つの固定部に１つの支持部を挿入する例を示したが、これに限られることはなく、１つの固定部に複数の支持部を挿入することももちろん可能である。またその各固定位置も、上記に示すように同様に設置することができるため容易に変更することができる。
【００１９】
尚、上記実施の形態１においては、図８（ａ）に示すような受け部９を角柱にて形成する例を示したこれに限られることはなく、例えば、図８（ｂ）に示すような円柱状の受け部９１、図８（ｃ）に示すような細棒状で先端が上方に曲げられ荷重が落下するのを防止するための止め部９２ａを有する受け部９２、他の形状としてパイプ状、板状、他の多角形状、他の曲面状、またこれらを組み合わせた形状でも同様の効果を奏することは言うまでもない。また、図８（ｄ）に示すような、支持部の下端から延在するＬ字状にて成る受け部９３を形成しても良い。この場合、受け部９３に荷重がかかるため、上記実施の形態１と同様の効果を奏することができる。
【００２０】
また、固定部の溝の他方側面は傾斜側面と平行である例を示した。これは固定部の溝に対して支持部の溝挿入部を挿入しやすくするためであり、この形状に限られることはなく、他の形状であっても溝に溝挿入部が挿入可能であれば上記実施の形態１と同様の効果を奏することは言うまでもない。
【図面の簡単な説明】
【００２１】
【図１】この発明の実施の形態１の支持具の固定部および支持部の構成を示す側面図である。
【図２】図１に示した固定部と支持部とを組み合わせた状態の支持具の構成を示す側面図および平面図である。
【図３】図２に示した支持具の設置方法を説明するための断面図である。
【図４】図２に示した支持具の利用方法を説明するための斜視図である。
【図５】図２に示した支持具にかかる力の作用を説明するための図である。
【図６】図６は他の支持具の固定部および支持部の構成を示す側面図である。
【図７】図６は他の支持具の固定部および支持部の構成を示す側面図である。
【図８】図１、図６、図７に示した支持部の他の構成を示す斜視図である。
【符号の説明】
【００２２】
１  固定部、２  溝、２ａ  底面、２ｂ  傾斜側面、２ｃ  他方側面、
３，３０，３１  外周面、３ａ  水平面、３ｂ  垂直面、６  支持部、７  溝挿入部、
７ａ  第１の接面、８，８１，８２  第２の接面、８ａ  第３の接面、
８ｂ  第４の接面、９，９１，９２，９３  受け部、２０  ハンガー、８０  外周部。
【図１】
2006006516.tif 000003
【図２】
2006006516.tif 000004
【図３】
2006006516.tif 000005
【図４】
2006006516.tif 000006
【図５】
2006006516.tif 000007
【図６】
2006006516.tif 000008
【図７】
2006006516.tif 000009
【図８】
2006006516.tif 000010